(57)【特許請求の範囲】
【請求項１】
周縁部に側壁を有するケース底とケース蓋とによって全体が略矩形の箱状に形成され、内部に制御基板を収納するように構成された遊技機の基板ケースにおいて、
上記ケース底とケース蓋とは、それらの１つの長辺部分で回動可能にヒンジ結合されているとともに、互いに向い合う２つの短辺部分で分離不能に結合されており、この結合部は、２つの短辺部分の側壁の位置でかつ側壁に沿ってそれぞれ複数個ずつ設けられ、一回の結合時にはこの各短辺部分一個ずつ計２つの結合部を一組として結合するように構成されており、
上記各結合部は、ケース蓋の表面側と裏面側の両方に突出して形成されかつ締結ねじを収納する段付きの貫通孔を有する円筒部と、ケース底の側壁に内外両方に膨出して形成されかつ側壁の厚み中心にねじ穴を有するボス部とからなり、この両者を突き合わせた状態で円筒部の貫通孔内に収納された締結ねじをボス部のねじ穴にまでねじ込むことにより結合される構成になっており、
上記円筒部は、その貫通孔内に締結ねじを十分に収納するように締結ねじの長さよりも軸方向長さが大きく設定されており、この円筒部の貫通孔は、締結ねじの頭部を案内する大径孔部と、内径がこの大径孔部の内径よりも小さくかつ上記ボス部のねじ穴の内径と略同一の小径孔部とからなり、上記小径孔部は、円筒部とボス部とを突き合わせた状態ではボス部のねじ穴と直線状に連通するようになっているとともに、上記大径孔部は、収容した締結ねじの頭部を小径孔部の軸方向に沿って案内するように設けられており、上記ボス部の壁の厚みは、ケース底の側壁の他の部分の厚みと略同一に設定されており、
上記ケース蓋には上記各結合部を他の部分から切断し易くするためのスリット孔が形成されており、このスリット孔は、１つの結合部毎にその円筒部の周囲を囲むように略Ｌ字状にかつ２個ずつ形成され、各スリット孔の一端は、ケース蓋の周縁部にまで延びており、１つの結合部の切断時にはスリット孔同士の間と両スリット孔のケース蓋周縁部側の一端とケース蓋の周縁との間の３個所を切断するように構成されており、
上記各結合部の切断時の切断個所は、平面的に見て上記制御基板の実装領域の境界付近又はそれよりも外側の領域に設けられていることを特徴とする遊技機の基板ケース。
【請求項２】
上記各円筒部の表面側部分の基部には、それぞれ円筒部内の締結ねじをケース底側にねじ込んだ後円筒部の表面側部分をケース蓋から切断し易くするためのくびれが形成されている請求項１記載の遊技機の基板ケース。
【発明の詳細な説明】
【０００１】
【発明の属する技術分野】
本発明は、パチンコ機やスロットマシン等の遊技機に装備される制御基板を収納する基板ケースに関する。
【０００２】
【従来の技術】
従来、遊技機に装備される制御基板は、その不正改造（例えばＲＯＭの不正な交換等）を防止するために、ケース底とケース蓋とからなる基板ケース内に収納し、この基板ケースの開放を禁止する種々の工夫を施している。例えば特開平９−２７６４８１号公報には、特殊なねじを用い、あるいは樹脂の熱溶接により基板ケースのケース底とケース蓋とを分離不能に結合することが開示されている。この方法によれば、制御基板の不正改造をするためには結合部を破壊しなければならず、また不正改造が行われた場合には結合部及びその周辺に破壊の痕跡が明らかに残ることになるので、制御基板の不正改造を確実に防止できるという効果が得られる。
【０００３】
【発明が解決しようとする課題】
ところが、上記例示の公報のものでは、ケース底とケース蓋とを分離不能に結合する結合部の位置を設定するに際して、次のような問題がある。
【０００４】
すなわち、ケース底及びケース蓋の側壁より内部に結合部を設けた場合には、この結合部により基板ケースの内部空間が狭められることになる。特に、ＲＯＭ検査のためなど正当な理由で結合部を破壊し、その後再度結合し得るようにするために複数の結合部を設ける場合、これらの結合部を全て側壁より内部に設ければ内部空間の狭小化が顕著なものとなる。また、この場合、結合部の破壊した部分から不正改造される虞もある。
【０００５】
一方、ケース底及びケース蓋の側壁より外側に突出する突出部を設け、この突出部で両者を結合した場合には、突出部が基板ケースの周辺に配置される他の部材と干渉することがあり、配置レイアウトの自由度がその分低くなる。また、突出部の基部（つまり側壁寄りの部位）にその突出部ないし結合部を他の部分から切断し易くするためのスリット孔を形成するとすれば成形時の不良が生じ易くなるばかりでなく、その箇所が脆弱となることから運搬時や取扱い時等に不用意に破損する虞がある。
【０００６】
本発明はかかる点に鑑みてなされたものであり、その課題とするところは、ケース底とケース蓋とを分離不能に結合する結合部の位置を適切に設定することにより、内部空間を広く確保することができるとともに、配置レイアウトの自由度の向上、成形不良の防止及び不用意な破損防止を図り得る遊技機の基板ケースを提供するものである。
【０００７】
【課題を解決するための手段】
上記の課題を達成するため、請求項１に係る発明は、遊技機の基板ケースとして、周縁部に側壁を有するケース底とケース蓋とによって全体が略矩形の箱状に形成され、内部に制御基板を収納するように構成することを前提する。そして、上記ケース底とケース蓋とを、それらの１つの長辺部分で回動可能にヒンジ結合するとともに、互いに向い合う２つの短辺部分で分離不能に結合する。この結合部を、２つの短辺部分の側壁の位置でかつ側壁に沿ってそれぞれ複数個ずつ設け、一回の結合時にはこの各短辺部分一個ずつ計２つの結合部を一組として結合する構成とする。また、上記各結合部を、ケース蓋の表面側と裏面側の両方に突出して形成されかつ締結ねじを収納する段付きの貫通孔を有する円筒部と、ケース底の側壁に内外両方に膨出して形成されかつ側壁の厚み中心にねじ穴を有するボス部とによって構成し、かつこの両者を突き合わせた状態で円筒部の貫通孔内に収納された締結ねじをボス部のねじ穴にまでねじ込むことにより結合する構成にし、上記円筒部の貫通孔内に締結ねじを十分に収納するように締結ねじの長さよりも軸方向長さを大きく設定し、この円筒部の貫通孔を、締結ねじの頭部を案内する大径孔部と、内径がこの大径孔部の内径よりも小さくかつ上記ボス部のねじ穴の内径と略同一の小径孔部とによって構成し、上記小径孔部を、円筒部とボス部とを突き合わせた状態ではボス部のねじ穴と直線状に連通するように設けるとともに、上記大径孔部を、収容した締結ねじの頭部を小径孔部の軸方向に沿って案内するように設け、上記ボス部の壁の厚みを、ケース底の側壁の他の部分の厚みと略同一に設定する。さらに、上記ケース蓋に、上記各結合部を他の部分から切断し易くするためのスリット孔を形成し、このスリット孔を、１つの結合部毎にその円筒部の周囲を囲むようにＬ字状にかつ２個ずつ形成し、各スリット孔の一端を、ケース蓋の周縁部にまで延ばし、１つの結合部の切断時にはスリット孔同士の間と両スリット孔のケース蓋周縁部側の一端とケース蓋の周縁との間の３個所を切断するように構成し、上記各結合部の切断時の切断個所を、平面的に見て上記制御基板の実装領域の境界付近又はそれよりも外側の領域に設ける構成にする。これにより、ケース底とケース蓋とを分離不能に結合する結合部が側壁の位置に設けられているため、この結合部により基板ケースの内部空間が狭められることは殆どない。また、結合部のケース側壁から外側への突出量も少ないので、基板ケースの周辺に配置される他の部材と干渉することはなく配置レイアウトの自由度を高めることができるとともに、成形時の不良及び運搬時等での不用意な破損を防止することができる。しかも、ＲＯＭ検査等のためにケース蓋の封止を解除する必要がある場合には、ニッパ等の切断工具を用いかつスリット孔を利用してケース蓋の結合部分を他の部分から切断することにより、ケース蓋の封止解除つまり開封を容易に行うことができる。また、この開封ではその痕跡が明らかに残るので、制御基板の不正改造の早期発見ひいてはその未然防止を図ることができる。
【０００８】
その上、一回の結合時には、常に１つの長辺部分がヒンジ結合され、互いに向い合う２つの短辺部分の側壁に位置する２つの結合部でケース底とケース蓋とが分離不能に結合されるため、その分離不能の結合状態が再結合の有無に拘らず持続的に強固に維持されることになり、不正改造の防止化が確実に図られる。また、各結合部は側壁の位置に設けられているため、これらの結合部を他の部分から切断した場合でも、その切断箇所から基板ケース内の制御基板上のＲＯＭ位置（制御基板の中央付近）までの距離が遠く、ＲＯＭの交換等を行うことができず、この点からも不正改造の防止化が一層確実に図られる。
【０００９】
また、ケース底とケース蓋との結合時には予め各結合部の円筒部内に用意されている締結ねじをねじ込むだけの簡単な操作で結合を行うことができる。しかも、上記円筒部はケース蓋の裏面側だけでなく表面側にも突出しているが、ケース蓋の表面側には他の部材は配置されないので、円筒部により基板ケース等の配置レイアウトが制約されることはない。
【００１０】
この場合、上述の如くニッパ等の切断工具を用いかつスリット孔を利用してケース蓋の結合部分を他の部分から切断する時に、その切断が上記円筒部により支障を来すことがある。そこで、請求項２に係る発明は、上記各円筒部の表面側部分の基部に、それぞれ円筒部内の締結ねじをケース底側にねじ込んだ後円筒部の表面側部分をケース蓋から切断し易くするためのくびれを形成する構成とする。これにより、結合部を他の部分から切断するに先立って円筒部を切断する時、上記くびれにて円筒部を容易に切断することができる。
【００１１】
【発明の実施の形態】
以下、本発明の実施の形態を図面に基づいて説明する。
【００１２】
図１ないし図４は本発明の一実施形態に係る基板ケースＡを示す。この基板ケースＡは、図示していないがパチンコ機の制御基板の一つである主基板を収納するもので、パチンコ機における遊技盤の裏面側に設けられた主基板ケース取付板に取外し可能に取り付けられる。
【００１３】
上記基板ケースＡは、遊技盤裏面側の主基板ケース取付板に取り付けられるケース底１と、このケース底１に重ね合わせて取り付けられるケース蓋２とからなる。ケース底１及びケース蓋２は、共に透明なＡＢＳ樹脂等の合成樹脂製のもので全体として略矩形の箱状に形成されている。
【００１４】
上記ケース底１は矩形状の底板１ａの周縁部全周（つまり四辺の各縁部）に側壁１ｂ，１ｃ，１ｄ，１ｅを有してなり、底板１ａの内面には、図１１にも示すように、略矩形状の主基板の周縁部を支持する矩形枠状の支持部３と、主基板の四隅部を各々ケース底１及び主基板ケース取付板にねじ止めする四つのねじ止めボス部４，４，…と、主基板の四隅部を各々位置決めする四つの位置決め部５，５，…と、縦方向又は横方向に延びる複数の補強リブ６，６，…とがそれぞれ突出して形成されている。
【００１５】
一方、上記ケース蓋２は矩形状の平板であり、このケース蓋２には複数の放熱孔１１，１１，…が適宜開口されている。ケース蓋２の表面（外面）には、機種名等が印刷されかつ開封履歴等を記入するためのシールを貼り付けるための貼付け部１２が設けられているとともに、この貼付け部１２の周囲には突部１３が形成されており、この突部１３により貼付け部１２に貼り付けられたシール（図示せず）の端部を遮蔽してシールを簡単に剥がせないようになっている。また、ケース蓋２の裏面（内面）には、ケース底１の内面と同様に縦方向又は横方向に延びる複数の補強リブ１４，…が形成されている。
【００１６】
そして、上記ケース蓋２の一つの長辺は、ケース底１の側壁１ｂに対して二箇所（部位１６，１６）でヒンジ結合されており、このヒンジ部１６，１６を中心にケース蓋２をケース底１側に閉じるとケース蓋２の各辺がそれぞれケース底１の対応する側壁１ｂ〜１ｅの先端に当接して両者１，２が重ね合わされるようになっている。上記各ヒンジ部１６は、ケース蓋２に形成された一対の軸部１７，１７と、ケース底１の側壁１ｂに形成された一対の係合部１８，１８とを備え、上記各軸部１７をそれぞれ対応する係合部１８に回動可能に係合して構成されている。
【００１７】
上記ケース蓋２のヒンジ部１６側と反対側の長辺は、ケース蓋２の封止時にケース底１の底板１ａに対し二箇所（部位２１，２１）でねじ止めにより締結されるようになっている。この各締結部２１は、図４に明示するように、ケース蓋２の裏面側に突出して形成されかつ締結ねじが挿入可能な段付きのねじ挿入孔２２を有する蓋側円筒部２３と、ケース底１の底板１ａの内面側に突出して形成されかつねじ孔２４を有する底側円筒部２５とからなり、上記両円筒部２３，２５同士を突き合わせた状態で蓋側円筒部２３のねじ挿入孔２２内に挿入した締結ねじ（図示せず）を底側円筒部２５のねじ孔２４にまでねじ込むことにより締結されるようになっている。上記底側円筒部２５は、ケース底１の側壁１ｄより内側で支持部３ひいてはその上に支持される主基板の側縁より外側の位置に設けられている。尚、ケース蓋２のヒンジ部１６側と反対側の長辺では、隅角部付近を除いて、図４に示すようにケース蓋２とケース底１の側壁１ｄの先端との間に所定の隙間２６が設けられ、この隙間２６を通して主基板に接続されるケーブル等を配線するようになっている。
【００１８】
上記ケース蓋２の二つの短辺は、ケース蓋２の封止時にそれぞれケース底１の対応する側壁１ｃ，１ｅの選択的な位置一個所（部位３１）に特殊ねじ３２（図５参照）を用いて分離不能に結合されるようになっており、この結合部３１は、ケース蓋２の各短辺に沿って４個ずつ設けられている。上記結合部３１は、図５ないし図７に拡大詳示するように、ケース蓋２の表面側と裏面側の両方に突出して形成されかつ特殊ねじ３２を収納する段付きの貫通孔３３を有する円筒部３４と、ケース底１の側壁１ｃ又は１ｅに内外両方に膨出して形成されかつ側壁１ｃ又は１ｅの厚み中心にねじ穴３５を有するボス部３６とからなり、上記円筒部３４とボス部３６とを突き合わせた状態で円筒部３４の貫通孔３３内に収納された特殊ねじ３２をボス部３６のねじ穴３５にまでねじ込むことにより結合されるようになっている（図８参照）。
【００１９】
上記特殊ねじ３２は、図９及び図１０に拡大詳示するように頭部３２ａのスクリュードライバーと係合する係合溝３２ｂの形状に特徴を有する締結ねじである。つまり、上記係合溝３２ｂの壁面のうち、スクリュードライバーによる締付け時にそのスクリュードライバーと当接する壁面３２ｃ，３２ｃは溝底面３２ｄと略直角に交差しているが、締付けを緩める時にスクリュードライバーと当接する壁面３２ｅ，３２ｅは溝底面３２ｄと斜めに傾斜している。従って、この特殊ネジ３２を円筒部３４の貫通孔３３内からボス部３６のねじ穴３５にまでねじ込んで結合部３１を一旦結合状態にするとその結合部３１は破壊しない限り分離不能になる。
【００２０】
上記ケース蓋２には、上記各結合部３１のケース蓋２側の構成部分である円筒部３４を他の部分から切断し易くするためのスリット孔３８が各円筒部３４に対応して形成されている。また、各円筒部３４の表面側部分の基部には、それぞれその円筒部３４内の特殊ねじ３２をケース底１側（ボス部３６のねじ穴３５）にねじ込んだ後円筒部３４の表面側部分をケース蓋２から切断し易くするためのくびれ３９が形成されている。
【００２１】
さらに、上記ケース蓋２には、各短辺毎の四つの結合部３１，３１，…のうちで結合順序を示す「１」から「４」までの連続番号４１，４２がエンボス等により表示されている。図１で上辺側の連続番号４１はケース蓋２のヒンジ部１６側から昇順であり、下辺側の連続番号４２はケース蓋２のヒンジ部１６側から降順である。よって、１回目から４回目までの各結合時（封止時）には常にケース底１及びケース蓋２（つまり基板ケースＡ）の略中心を挟む二つの結合部３１，３１を一組として結合するように構成されている。
【００２２】
尚、図１及び図４中、４６及び４７はケース蓋２の裏面側に突出して形成されかつ貫通孔４８を有する一対の円筒部であり、この両円筒部４６，４７は、それぞれケース蓋２を閉じた時にケース底１のヒンジ部側側壁１ｂ寄りのねじ止めボス部４に対向し、貫通孔４８からスクリュードライバーを通してねじ止め操作を行い得るようになっている。
【００２３】
次に、上記基板ケースＡにおける主基板検査時の作業手順について説明するに、主基板検査前では、基板ケースＡのケース底１とその支持部３上に支持された主基板とは、四つのねじ止めボス部４，４，…でそれぞれ遊技機裏面側の主基板ケース取付板に締結ねじによる共止めをして取り付けられている。また、基板ケースＡのケース蓋２は、ケース底１の側壁１ｂ〜１ｅの先端に重ね合わせて閉じられ、ケース底１との間の内部空間に主基板を収納している。この閉じ状態のときケース蓋２は、二箇所の締結部２１，２１でケース底１に対し通常の締結ねじによりねじ止めされているとともに、上下両短辺の１回目用の一組の結合部３１，３１でそれぞれ特殊ねじ３２により分離不能に結合されている。
【００２４】
そして、このような状態から基板ケースＡ内の主基板（詳しくは主基板上に実装されたＲＯＭ）を検査する時には、先ず、スクリュードライバーを用いて二箇所の締結部２１，２１における締結ねじをそれぞれ外す。続いて、上下両短辺の１回目用の一組の結合部３１，３１それぞれに対し、ニッパ等の切断工具を用いて、円筒部３４の表面側部分を切断して除去した後その円筒部３１を他の部分から切断し、封止を解除する。この際、円筒部３４の表面側部分の基部にくびれ３９が、円筒部３４の周囲にスリット孔３８がそれぞれ形成されていて、これらの部分の切断がし易くなっているので、切断作業ひいては封止解除作業を容易にかつ迅速に行うことができる。
【００２５】
ニッパ等の切断工具による切断が完了した後、ケース蓋２を開き、ＲＯＭ検査のため主基板からＲＯＭを外し検査をする。図１１及び図１２はケース蓋２を開いた状態を示し、図１１中、切断工具で切り取られケース底１側に残るケース蓋２の残骸２ａを斜線で示す。
【００２６】
ＲＯＭ検査完了後は、先ず、ケース蓋２を閉じて、二箇所の締結部２１，２１でそれぞれ締結ねじによりケース蓋２をケース底１に締結する。また、ケース蓋２の上下両短辺の２回目用の一組の結合部３１，３１でそれぞれ特殊ねじ３２をスクリュードライバーによりねじ込んでケース蓋２とケース底１とを分離不能に結合する。この際、特殊ねじ３２は、各結合部３１においてケース蓋２側の円筒部３４の貫通孔３３内に予め収納して用意されているので、結合作業を円滑に行うことができる。
【００２７】
最後に、ケース蓋２の貼付け部１２に貼り付けられたシールに開封者名や開封年月日等の所定事項を記入し、検査印を押印する。以上によって、一回の主基板検査のための一連の作業が終了する。
【００２８】
このような作業手順により、本実施形態の基板ケースＡでは、主基板検査等のための開封を３回行うことができるとともに、開封の痕跡（切り取ったケース蓋２の残骸２ａ）が明らかに残るので、主基板の不正改造の防止化を図ることができる。
【００２９】
しかも、基板ケースＡのケース蓋２とケース底１とは、１回目から４回目までの各結合時に常に上下両短辺上でかつ基板ケースＡの略中心を挟んで位置する二つの結合部３１，３１で分離不能に結合されるため、その分離不能の結合状態つまりケース蓋２の封止を再結合の有無に拘らず持続的に強固に維持することができる。その上、ケース蓋２の一つの長辺はケース底１の側壁１ｂとヒンジ結合されており、結局、ケース蓋２の四辺のうちの三辺がケース底１と分離不能に結合されているので、ケース蓋２の封止状態のままではＲＯＭの取出し等は不可能であり、不正改造の防止化を確実に図ることができる。
【００３０】
また、ケース蓋２とケース底１とを分離不能に結合する結合部３１は全てケース底１の側壁１ｃ，１ｅの位置に設けられているため、この結合部３１により基板ケースＡの内部空間が狭められることは殆どない。また、結合部３１のケース側壁１ｃ，１ｅから外側への突出量も少ないので、基板ケースＡの周辺に配置される他の部材と干渉することはなく、配置レイアウトの自由度を高めることができるとともに、成形時の不良及び運搬時等での不用意な破損を防止することができる。尚、各結合部３１では、ケース蓋２の表面から円筒部３４が突出しているが、ケース蓋２の表面側に他の部材が配置されることはなく、部材干渉の問題は生じない。
【００３１】
さらに、上記各結合部３１がケース蓋２の上下両短辺上（ケース底１の側壁１ｃ，１ｅの位置）に設けられていることから、この結合部３１のケース蓋２側の構成部分である円筒部３４をスリット孔３８を利用して他の部分から切断した場合でも、その切断箇所から基板ケースＡ内の主基板上のＲＯＭ実装位置（主基板の中央付近）までの距離が遠く、ＲＯＭの交換等を行うことができず、この点からも不正改造の防止化を一層確実に図ることができる。
【００３２】
尚、本発明は上記実施形態に限定されるものではなく、その他種々の実施形態を包含するものである。例えば、上記実施形態では、ケース底１及びケース蓋２のうち、ケース底１のみが周縁部に側壁１ｂ〜１ｅを有し、パチンコ機の主基板を収納する基板ケースＡについて述べたが、本発明は、逆にケース蓋のみが周縁部に側壁を有してなるパチンコ機やスロットマシン等の遊技機の基板ケース、あるいはケース底及びケース蓋が共に周縁部に側壁を有してなり、側壁の先端同士を突き合わせて両者を重ね合わせ、内部に制御基板を収納する遊技機の基板ケースにも適用することができる。
【００３３】
また、上記側壁位置の結合部におけるケース蓋とケース底との分離不能の結合方法としては、上記実施形態の如き特殊ねじ３２の代わりに、スクリュードライバーによるねじ締め時に所定の捩り力が作用するとねじの頭部が破損するなどの他の特殊ねじを用いる方法、締結ねじをケース底側にねじ込んだ後ケース蓋側のねじ挿入孔内に封止部材を挿入する方法、あるいは樹脂の熱溶接による方法等従来公知の方法を用いてもよいのは勿論である。
【００３４】
【発明の効果】
以上のように、本発明における遊技機の基板ケースによれば、ケース底とケース蓋とを分離不能に結合する結合部を側壁の位置に設けることにより、制御基板の不正改造の防止化及びケース蓋の開封の簡易化を図りながら、基板ケースの内部空間を広く確保することができるとともに、結合部のケース側壁から外側への突出量を少なくして、配置レイアウトの自由度の向上、並びに成形時の不良及び運搬時等での不用意な破損の防止化を図ることができる。
【００３５】
その上、ＲＯＭ検査のためなど正当な理由で結合部を破壊し、その後再結合することを繰り返して行う場合でも、一回の結合時には、常に１つの長辺部分がヒンジ結合され、互いに向い合う２つの短辺部分の側壁に位置する２つの結合部でケース底とケース蓋とが分離不能に結合されるため、その分離不能の結合状態を再結合の有無に拘らず持続的に強固に維持することができ、また切断箇所からＲＯＭの交換等を行うことができず、不正改造の防止化を一層確実に図ることができるという効果をも奏する。
【００３６】
また、ケース底とケース蓋との結合時には予め各結合部の円筒部内に用意されている締結ねじをねじ込むだけの簡単な操作で結合を行うことができ、配置レイアウトの自由度を損なうことなく結合作業の簡易・迅速化を図ることができるという効果を併有する。
【００３７】
さらに、請求項２に係る発明では、各結合部を他の部分から切断するに先立って各結合部の円筒部を切断する時、くびれにて円筒部を容易に切断することができるので、開封作業の簡易・迅速化をも図ることができる。
【図面の簡単な説明】
【図１】  本発明の実施例に係るパチンコ機の基板ケースのケース蓋を閉じた状態での平面図である。
【図２】  同左側面図である。
【図３】  同正面図である。
【図４】  図１のＸ−Ｘ線における断面図である。
【図５】  図１のＹ−Ｙ線で囲まれた部分の拡大図である。
【図６】  図５のＺ方向から見た矢視図である。
【図７】  図５のＬ−Ｌ線における断面図である。
【図８】  特殊ねじをケース底側にねじ込んだ状態を示す図７相当図である。
【図９】  特殊ねじをその頭部側から見た正面図である。
【図１０】  特殊ねじの側面図である。
【図１１】  ケース蓋の封止を解除してケース蓋を開けた状態を示す図１相当図である。
【図１２】  同じく図３相当図である。
【符号の説明】
Ａ    基板ケース
１    ケース底
１ｂ，１ｃ，１ｄ，１ｅ    側壁
２    ケース蓋
１６    ヒンジ部
３１    結合部
３２    特殊ねじ（締結ねじ）
３２ａ  頭部
３３    貫通孔
３４    円筒部
３５    ねじ穴
３６    ボス部
３８    スリット孔
３９    くびれ
【図１】
0003926451.tif 000002
【図２】
0003926451.tif 000003
【図３】
0003926451.tif 000004
【図４】
0003926451.tif 000005
【図５】
0003926451.tif 000006
【図６】
0003926451.tif 000007
【図７】
0003926451.tif 000008
【図８】
0003926451.tif 000009
【図９】
0003926451.tif 000010
【図１０】
0003926451.tif 000011
【図１１】
0003926451.tif 000012
【図１２】
0003926451.tif 000013